(57)【要約】【課題】外観をスリムにするため小型な本体で、且つ、送風機性能を向上させ騒音を低減させることのできるレンジフードを提供する。【解決手段】下面にフード１で集めた空気を吸込む本体吸込口２と上面に空気を屋外に排出する排気ダクト３と連通される本体排気口４を備えた本体５と、本体吸込口２の下流に空気を清浄にするフィルタ６と、このフィルタ６の下流側に反モータ側ケーシング側面７ａ及びモータ側ケーシング側面７ｂに備えた空気を吸込む反モータ側ケーシング吸込口８ａ及びモータ側ケーシング吸込口８ｂを有するケーシング９と、このケーシング９の内部に空気を排出する両吸込型の両吸シロッコファン１０と、この両吸シロッコファン１０を回転させるモータ１１を備え、ケーシング９の内部に両吸シロッコファン１０の回転軸に垂直な平面で分割する仕切り板１３を備えるという構成となっている。【選択図】図３
2007093136.tif 000002
【特許請求の範囲】
【請求項１】
レンジから発生した空気を集めるフードと、下面にフードで集めた空気を吸込む本体吸込口と上面に空気を屋外に排出する排気ダクトと連通される本体排気口を備えた本体と、前記本体吸込口の下流に空気を清浄にするフィルタと、このフィルタの下流側に反モータ側ケーシング側面に備えた空気を吸込む反モータ側ケーシング吸込口及びモータ側ケーシング側面に備えた空気を吸込むモータ側ケーシング吸込口を有するケーシングと、このケーシングの内部に空気を排出する両吸込型の両吸シロッコファンと、この両吸シロッコファンを回転させるモータを備え、前記ケーシングの内部を流れる空気の流速を均一にする整流部を備えたことを特徴とするレンジフード。
【請求項２】
整流部をケーシングに備えたことを特徴とする請求項１記載のレンジフード。
【請求項３】
モータがケーシングの内部に少なくとも一部分入り込んでいることを特徴とする請求項１または２記載のレンジフード。
【請求項４】
両吸シロッコファンの外周よりも外側の領域において、前記両吸シロッコファンの回転軸に垂直な平面で分割する仕切り板を備えたことを特徴とする請求項１乃至３いずれかに記載のレンジフード。
【請求項５】
仕切り板を両吸シロッコファンの主板と同一平面上に備えたことを特徴とする請求項４記載のレンジフード。
【請求項６】
仕切り板を吸音材とした請求項４または５記載のレンジフード。
【請求項７】
両吸シロッコファンの外周よりも外側の領域において、ケーシング幅の大きさが両吸シロッコファン幅の大きさと同じであることを特徴とする請求項１乃至６いずれかに記載のレンジフード。
【請求項８】
両吸シロッコファンの外周よりも外側の領域において、モータ側ケーシング側面とモータ側ブレード端面が同一平面上であることを特徴とする請求項１乃至６のいずれかに記載のレンジフード。
【請求項９】
両吸シロッコファンの外周よりも外側の領域において、反モータ側ケーシング側面と反モータ側ブレード端面が同一平面上であることを特徴とする請求項７記載のレンジフード。
【請求項１０】
両吸シロッコファンの外周よりも外側の領域において、反モータ側ブレード端面と反モータ側吸音材の反モータ側吸音材端面が同一平面上であるとし、また、モータ側ブレード端面とモータ側吸音材のモータ側吸音材端面が同一平面上であることを特徴とする請求項１乃至６のいずれかに記載のレンジフード。
【請求項１１】
両吸シロッコファンのブレードに均一に空気が流入するような形状を前記両吸シロッコファンに備えたことを特徴とする請求項１乃至１０いずれかに記載のレンジフード。
【請求項１２】
両吸シロッコファンの主板の位置を前記両吸シロッコファンの軸方向に平行に移動することを特徴とする請求項１１記載のレンジフード。
【請求項１３】
両吸シロッコファンの主板に主板穴を備えたことを特徴とする請求項１１または１２記載のレンジフード。
【請求項１４】
両吸シロッコファンの回転軸に対して垂直な平面から見ると、前記両吸シロッコファンのブレード内径よりも外側からブレード外径の内側までの範囲でモータ側ケーシング吸込口の外周を備えたことを特徴とする請求項１乃至１３いずれかに記載のレンジフード。
【発明の詳細な説明】
【技術分野】
【０００１】
本発明は、調理時にレンジから発生する油煙、臭気、排ガスなどを含む空気を屋外に排出するレンジフードに関するものである。
【背景技術】
【０００２】
従来、この種のレンジフードは、送風装置を小型にし、スリムな外観が求められている。また、低騒音なレンジフードが求められている（例えば、特許文献１参照）。
【０００３】
以下、そのレンジフードについて図１７を参照しながら説明する。
【０００４】
図に示すように、下面にフード吸込口１０１を形成するように開口し、上面に排気ダクト１０２と連通される排気口１０３を設けたフード本体１０４と、このフード本体１０４の内部に設けられる送風機用吸込口１０５を両側面に有する排気送風機１０６と、フード本体１０４と排気送風機１０６との間に設けられるフィルタ１０７とを備え、排気送風機１０６に設けられる両吸込型の多翼ファン１０８を、ファン吸込口１０９より主板１１０側に向かい径が小さくなるテーパー状に形成した多数のブレード１１１により構成することで、騒音を低減し使用者に不快感を与えないようにすることができる。
【特許文献１】特開平８−１７０８４４号公報（第４頁、第１図）
【発明の開示】
【発明が解決しようとする課題】
【０００５】
このような従来のレンジフードでは、外観をスリムにするためにフード本体を小型にするとモータをケーシング内部に１部分入り込んでいるような構成しなければならない。そのため、空気が吸込口に流入する際にモータが圧力損失になり、ケーシング吸込口の両面から流入する流量のバランスが悪くなりケーシング内部を流れる空気の流速が不均一となる。そのため、送風機性能を低下させ、騒音が増大するという課題があった。
【０００６】
本発明は、このような従来の課題を解決するものであり、小型で、且つ、送風機性能を向上させ騒音を低減させることを目的としている。
【課題を解決するための手段】
【０００７】
上記目的を達成するために、本発明のレンジフードは、レンジから発生した空気を集めるフードと、下面にフードで集めた空気を吸込む本体吸込口と上面に空気を屋外に排出する排気ダクトと連通される本体排気口を備えた本体と、前記本体吸込口の下流に空気を清浄にするフィルタと、このフィルタの下流側に反モータ側ケーシング側面に備えた空気を吸込む反モータ側ケーシング吸込口及びモータ側ケーシング側面に備えた空気を吸込むモータ側ケーシング吸込口を有するケーシングと、このケーシングの内部に空気を排出する両吸込型の両吸シロッコファンと、この両吸シロッコファンを回転させるモータを備え、前記ケーシングの内部を流れる空気の流速を均一にする整流部を備えたことを特徴としている。
【０００８】
また、本発明のレンジフードは、整流部をケーシングに備えたことを特徴としている。
【０００９】
また、本発明のレンジフードは、モータがケーシングの内部に少なくとも一部分入り込んでいることを特徴としている。
【００１０】
また、本発明のレンジフードは、両吸シロッコファンの外周よりも外側の領域において、前記両吸シロッコファンの回転軸に垂直な平面で分割する仕切り板を備えたことを特徴としている。
【００１１】
また、本発明のレンジフードは、仕切り板を両吸シロッコファンの主板と同一平面上に備えたことを特徴としている。
【００１２】
また、本発明のレンジフードは、仕切り板を吸音材としたことを特徴としている。
【００１３】
また、本発明のレンジフードは、両吸シロッコファンの外周よりも外側の領域において、ケーシング幅の大きさが両吸シロッコファン幅の大きさと同じであることを特徴としている。
【００１４】
また、本発明のレンジフードは、両吸シロッコファンの外周よりも外側の領域において、モータ側ケーシング側面とモータ側ブレード端面が同一平面上であることを特徴としている。
【００１５】
また、本発明のレンジフードは、両吸シロッコファンの外周よりも外側の領域において、反モータ側ケーシング側面と反モータ側ブレード端面が同一平面上にあることを特徴としている。
【００１６】
また、本発明のレンジフードは、両吸シロッコファンの外周よりも外側の領域において、反モータ側ブレード端面と反モータ側吸音材の反モータ側吸音材端面が同一平面上であるとし、また、モータ側ブレード端面とモータ側吸音材のモータ側吸音材端面とが同一平面上であることを特徴としている。
【００１７】
また、本発明のレンジフードは、両吸シロッコファンのブレードに均一に空気が流入するような形状を前記両吸シロッコファンに備えたことを特徴としている。
【００１８】
また、本発明のレンジフードは、両吸シロッコファンの主板の位置を前記両吸シロッコファンの軸方向に平行に移動することを特徴としている。
【００１９】
また、本発明のレンジフードは、両吸シロッコファンの主板に主板穴を備えたことを特徴としている。
【００２０】
また、本発明のレンジフードは、両吸シロッコファンの回転軸に垂直な平面から見ると、前記両吸シロッコファンのブレード内径よりも外側からブレード外径の内側までの範囲でモータ側ケーシング吸込口の外周を備えたことを特徴としている。
【発明の効果】
【００２１】
本発明のレンジフードによれば、外観をスリムにするため小型な本体で、且つ、送風機性能を向上させ騒音を低減させることのできるレンジフードが得られる。
【発明を実施するための最良の形態】
【００２２】
請求項１に記載のレンジフードは、レンジから発生した空気を集めるフードと、下面にフードで集めた空気を吸込む本体吸込口と上面に空気を屋外に排出する排気ダクトと連通される本体排気口を備えた本体と、本体吸込口の下流に空気を清浄にするフィルタと、このフィルタの下流側に反モータ側ケーシング側面に備えた空気を吸込む反モータ側ケーシング吸込口及びモータ側ケーシング側面に備えた空気を吸込むモータ側ケーシング吸込口を有するケーシングと、このケーシングの内部に空気を排出する両吸込型の両吸シロッコファンと、この両吸シロッコファンを回転させるモータを備え、ケーシングの内部を流れる空気の流速を均一にする整流部を備えたものであり、流速を均一化する整流部により、本体を小型にすることができ、且つ、送風機性能を向上させ騒音を低減することができる。
【００２３】
請求項２に記載の発明は、請求項１に記載のレンジフードにおいて、整流部をケーシングに備えたものであり、流速を均一化する整流部により、本体を小型にすることができ、且つ、送風機性能を向上させ騒音を低減することができる。
【００２４】
請求項３に記載の発明は、請求項１または２に記載のレンジフードにおいて、モータがケーシングの内部に少なくとも一部分入り込んでいることを特徴としたものであり、流速を均一化する整流部により、本体を小型にすることができ、且つ、送風機性能を向上させ騒音を低減することができる。
【００２５】
請求項４に記載の発明は、請求項１乃至３いずれかに記載のレンジフードにおいて、両吸シロッコファンの外周よりも外側の領域において、両吸シロッコファンの回転軸に垂直な平面で分割する仕切り板を備えたものであり、流速を均一化する仕切り板により、本体を小型にすることができ、且つ、送風機性能を向上させ騒音を低減することができる。
【００２６】
請求項５に記載の発明は、請求項４に記載のレンジフードにおいて、仕切り板を両吸シロッコファンの主板と同一平面上に備えたものであり、流速を均一化する仕切り板により、本体を小型にすることができ、且つ、送風機性能を向上させ騒音を低減することができる。
【００２７】
請求項６に記載の発明は、請求項４または５記載のレンジフードにおいて、仕切り板を吸音材としたものであり、流速を均一化する仕切り板と吸音材の吸音効果により、本体を小型にすることができ、且つ、送風機性能を向上させ騒音を低減することができる。
【００２８】
請求項７に記載の発明は、請求項１乃至６いずれかに記載のレンジフードにおいて、両吸シロッコファンの外周よりも外側の領域において、ケーシング幅の大きさが両吸シロッコファン幅の大きさと同じであることを特徴としたものであり、ケーシング内部の流速を均一化することにより、本体を小型にすることができ、且つ、送風機性能を向上させ騒音を低減することができる。
【００２９】
請求項８に記載の発明は、請求項１乃至６いずれかに記載のレンジフードにおいて、両吸シロッコファンの外周よりも外側の領域において、モータ側ケーシング側面とモータ側ブレード端面が同一平面上であることを特徴としたものであり、ケーシング内部の流速を均一化することにより、本体を小型にすることができ、且つ、送風機性能を向上させ騒音を低減することができる。
【００３０】
請求項９に記載の発明は、請求項７記載のレンジフードにおいて、両吸シロッコファンの外周よりも外側の領域において、反モータ側ケーシング側面と反モータ側ブレード端面が同一平面上であることを特徴としたものであり、ケーシング内部の流速を均一化することにより、本体を小型にすることができ、且つ、送風機性能を向上させ騒音を低減することができる。
【００３１】
請求項１０に記載の発明は、請求項１乃至６いずれかに記載のレンジフードにおいて、両吸シロッコファンの外周よりも外側の領域において、反モータ側ブレード端面と反モータ側吸音材の反モータ側吸音材端面が同一平面上であるとし、また、モータ側ブレード端面とモータ側吸音材のモータ側吸音材端面が同一平面上であることを特徴としたものであり、ケーシング内部の流速を均一化し吸音材の吸音効果により、本体を小型にすることができ、且つ、送風機性能を向上させ騒音を低減することができる。
【００３２】
請求項１１に記載の発明は、請求項１乃至１０いずれかに記載のレンジフードにおいて、両吸シロッコファンのブレードに均一に空気が流入するような形状を両吸シロッコファンに備えたものであり、ケーシング内部の流速を均一化することにより、本体を小型にすることができ、且つ、送風機性能を向上させ騒音を低減することができる。
【００３３】
請求項１２に記載の発明は、請求項１１に記載のレンジフードにおいて、両吸シロッコファンの主板の位置を両吸シロッコファンの軸方向に平行に移動することを特徴としたものであり、ケーシング内部の流速を均一化することにより、本体を小型にすることができ、且つ、送風機性能を向上させ騒音を低減することができる。
【００３４】
請求項１３に記載の発明は、請求項１１または１２の記載のレンジフードにおいて、両吸シロッコファンの主板に主板穴を備えたものであり、ケーシング内部の流速を均一化することにより、本体を小型にすることができ、且つ、送風機性能を向上させ騒音を低減することができる。
【００３５】
請求項１４に記載の発明は、請求項１乃至１３のいずれかに記載のレンジフードにおいて、両吸シロッコファンの回転軸に垂直な平面から見ると、両吸シロッコファンのブレード内径よりも外側からブレード外径の内側までの範囲でモータ側ケーシング吸込口の外周を備えたものであり、ケーシング内部の流速を均一化することにより、本体を小型にすることができ、且つ、送風機性能を向上させ騒音を低減することができる。
【００３６】
以下、本発明のレンジフードの形態について、図１〜図１６を参照しながら説明する。
【００３７】
（実施の形態１）
図１は本発明の実施の形態１におけるレンジフードの構成を示す正面図である。図２は、図１の側面図である。
【００３８】
図１及び図２に示すように、本発明のレンジフードは、レンジから発生した空気を集めるフード１と、下面にフード１で集めた空気を吸込む本体吸込口２と上面に空気を屋外に排出する排気ダクト３と連通される本体排気口４を備えた本体５と、本体吸込口２の下流に空気を清浄にするフィルタ６と、このフィルタ６の下流側に反モータ側ケーシング側面７ａ及びモータ側ケーシング側面７ｂに備えた空気を吸込む反モータ側ケーシング吸込口８ａ及びモータ側ケーシング吸込口８ｂを有するケーシング９と、このケーシング９の内部に空気を排出する両吸込型の両吸シロッコファン１０と、この両吸シロッコファン１０を回転させるモータ１１を備え、ケーシング９の内部を流れる空気の流速を均一にする整流部１２を備えるという構成となっている。
【００３９】
ここで、流速を均一にするとは、ケーシング９の内部を流れる空気の流速をどの位置でも同じとすることである。特に、反モータ側ケーシング側面７ａ及びモータ側ケーシング側面７ｂ付近の流速の低下を防ぐことである。
【００４０】
ここで、ケーシング９とは側面、舌部、ディフューザ部、吐出部により両吸シロッコファン１０を囲むように構成するものであり、両吸シロッコファン１０の回転軸に垂直な平面に平行な面で、且つ、モータ１１に遠い方の面を反モータ側ケーシング側面７ａ、モータ１１に近い方の面をモータ側ケーシング側面７ｂとし、また、反モータ側ケーシング側面７ａに備えたフィルタ６から吐出した空気を吸込む反モータ側ケーシング吸込口８ａ、モータ側ケーシング側面７ｂに備えたフィルタ６から吐出した空気を吸込むモータ側ケーシング吸込口８ｂとを備え、両吸シロッコファン１０の回転軸に垂直な平面を正面視したとき、舌部は両吸シロッコファン１０の外周部との最小隙間を含む部位であり、ディフューザ部は舌部からうず巻状にし、下流側の吐出口に向かうにつれて、両吸シロッコファン１０の外周部との隙間を徐々に拡大するように構成するものをいう。
【００４１】
ここで、両吸シロッコファン１０とは、反モータ側ケーシング吸込口８ａ及びモータ側ケーシング吸込口８ｂから流入する空気をケーシング９に吐出するために、それぞれ２箇所の吸込みを備えた羽根車である。
【００４２】
なお、図２では、モータ１１をケーシング９の内部に入り込む構成としたが、ケーシング９の外部に構成してもよい。
【００４３】
また、整流部１２は、ケーシング９の内部に構成したが、両吸シロッコファン１０に構成してもよいし、ケーシング９の外部に構成してもよい。
【００４４】
以上のように本実施の形態によれば、本体吸込口２から、それぞれ反モータ側ケーシング吸込口８ａ、モータ側ケーシング吸込口８ｂまでに空気が流れる圧力損失の違いにより、両吸シロッコファン１０から吐出される空気が不均一となる。ここで、ケーシング９の内部に整流部１２を構成することにより、ケーシング９の内部の流速を均一にでき、送風機性能を向上させ騒音を低減することができる。
【００４５】
また、モータ１１をケーシング９の内部に入れ込むことにより、モータ側ケーシング吸込口８ｂの吸込面積が反モータ側ケーシング吸込口８ａの吸込面積と比べ小さくなる。このため、吸込抵抗の相違から両吸シロッコファン１０から吐出される空気が不均一となる。ここで、ケーシング９の内部に整流部１２を構成することにより、ケーシング９の内部の流速を均一にでき、送風機性能を向上させ騒音を低減することができる。また、モータ１１をケーシング９の内部に入れ込んだ分、本体５を小型にすることができる。
【００４６】
（実施の形態２）
実施の形態１と同一部分については同一符号を附し、詳細な説明は省略する。
【００４７】
図３は本体の側面図である。図４は図３のケーシングと仕切り板の斜視図である。図５は本体の側面図である。図６はケーシングに備えた吸音材の斜視図である。
【００４８】
図３及び図４に示すように、両吸シロッコファン１０の外周よりも外側の領域において、両吸シロッコファン１０の回転軸に垂直な平面で分割する整流部１２としての仕切り板１３を備えるという構成となっている。
【００４９】
ここで、整流部１２としての仕切り板１３は両吸シロッコファン１０の外周と一定の隙間を備えており、本実施の形態では３ｍｍの隙間を備えた。
【００５０】
また、仕切り板１３は両吸シロッコファン１０の外周からケーシング９の外周の内壁までの領域を分割したが、１部分を仕切り板１３で分割してもよい。
【００５１】
また、仕切り板１３は、両吸シロッコファン１０から吐出された空気の抵抗にならないように、厚みを薄くする必要があり、本実施の形態では、１．２ｍｍとした。
【００５２】
また、仕切り板１３は、１つとしたが２つ以上構成してもよい。
【００５３】
図５に示すように、仕切り板１３を両吸シロッコファン１０の主板１４と同一平面上に備えるという構成となっている。
【００５４】
ここで、主板１４とは、両吸シロッコファン１０の回転軸に垂直な平面でモータ１１の軸と両吸シロッコファン１０を固定する部分であり、両吸シロッコファン１０のブレードの間に構成されたものである。
【００５５】
図６に示すように、仕切り板１３を吸音材１５とした構成となっている。
【００５６】
ここで、仕切り板１３を吸音材１５としたが、仕切り板１３に吸音材１５を貼り付けてもよい。
【００５７】
以上のように本実施の形態によれば、本体吸込口２から、それぞれ反モータ側ケーシング吸込口８ａ、モータ側ケーシング吸込口８ｂまでに空気が流れる圧力損失の違いにより、両吸シロッコファン１０から吐出される空気が不均一となる。ここで、両吸シロッコファン１０の外周よりも外側の領域において、両吸シロッコファン１０の回転軸に垂直な平面で分割する仕切り板１３を構成することにより、ケーシング９の内部の流速を均一にでき、送風機性能を向上させ騒音を低減することができる。
【００５８】
また、モータ１１をケーシング９の内部に入れ込むことにより、モータ側ケーシング吸込口８ｂの吸込面積が反モータ側ケーシング吸込口８ａの吸込面積と比べ小さくなる。このため、吸込抵抗の相違から両吸シロッコファン１０から吐出される空気が不均一となる。ここで、ケーシング９の内部に仕切り板１３を構成することにより、ケーシング９の内部の流速を均一にでき、送風機性能を向上させ騒音を低減することができる。また、モータ１１をケーシング９の内部に入れ込んだ分、本体を小型にすることができる。
【００５９】
また、仕切り板１３でケーシング９の内部の体積を分割することにより、共鳴周波数を高周波側に変化させることができる。
【００６０】
また、本実施の形態によれば、仕切り板１３を両吸シロッコファン１０の主板１４と同一平面上に備えることにより、両吸シロッコファン１０から吐出された空気を仕切り板１３に衝突させにくくなるため圧力損失の小さい仕切り板１３となり、効果的な仕切り板１３となる。
【００６１】
また、本実施の形態によれば、仕切り板１３を吸音材１５としたものであり、吸音材１５の吸音効果により、騒音を低減することができる。
【００６２】
（実施の形態３）
実施の形態１または２と同一部分については同一符号を附し、詳細な説明は省略する。
【００６３】
図７は本体の側面図である。図８は図７の両吸シロッコファンの回転軸を含む平面の断面図である。図９は両吸シロッコファンの回転軸を含む平面の断面図である。図１０は両吸シロッコファンの回転軸を含む平面の断面図である。図１１は両吸シロッコファンの回転軸を含む平面の断面図である。
【００６４】
図７及び図８に示すように、両吸シロッコファン１０の外周よりも外側の領域において、ケーシング幅１６の大きさが両吸シロッコファン幅１７の大きさと同じであることを特徴としたものである。
【００６５】
ここで、ケーシング幅１６とは、反モータ側ケーシング側面７ａとモータ側ケーシング側面７ｂとの距離である。本実施の形態では、反モータ側ケーシング側面７ａとモータ側ケーシング側面７ｂそれそれ段差がある構成となっており、この時のケーシング幅１６とは、反モータ側ケーシング側面７ａとモータ側ケーシング側面７ｂとの外周位置での距離である。
【００６６】
また、両吸シロッコファン幅１７とは、両吸シロッコファン１０の回転軸方向において、主板１４から両方向に最も離れたブレード端面の両面の距離である。ここで、ブレード端面のうち、モータから遠いほうを反モータ側ブレード端面１８ａ、モータから近い方をモータ側ブレード端面１８ｂとする。
【００６７】
なお、反モータ側ブレード端面１８ａ、モータ側ブレード端面１８ｂにリング状の板が備えられている場合、両吸シロッコファン幅１７は、このリング状の板の厚みを含まない反モータ側ブレード端面１８ａとモータ側ブレード端面１８ｂとの距離である。
【００６８】
ここで、反モータ側ケーシング側面７ａ及びモータ側ケーシング側面７ｂは、平板ではなく、両吸シロッコファン１０の少し外周の位置で凸形状となっている。本実施の形態では、両吸シロッコファン１０の羽根外径φ２００の対して、φ２０６の位置より内側の部分が凸形状となっている。
【００６９】
図９に示すように、両吸シロッコファン１０の外周よりも外側の領域において、モータ側ケーシング側面７ｂとモータ側ブレード端面１８ｂが同一平面上にあることを特徴としたものである。
【００７０】
なお、モータ側ブレード端面１８ｂにリング状の板が乗っている場合、このリング状の板を含めてモータ側ブレード端面１８ｂとなるわけではない。
【００７１】
ここで、モータ側ケーシング側面７ｂは、平板ではなく、両吸シロッコファン１０の少し外周で凸形状となっている。本実施の形態では、両吸シロッコファン１０の羽根外径φ２００の対して、φ２０６の位置より内周の部分が凸形状となっている。
【００７２】
図１０に示すように、両吸シロッコファン１０の外周よりも外側の領域において、反モータ側ケーシング側面７ａと反モータ側ブレード端面１８ａが同一平面上であることを特徴としたものである。
【００７３】
なお、反モータ側ブレード端面１８ａにリング状の板が乗っている場合、このリング状の板を含めて反モータ側ブレード端面1８ａとなるわけではない。
【００７４】
ここで、モータ側ケーシング側面７ｂは、平板ではなく、両吸シロッコファン１０の少し外周で凸形状となっている。本実施の形態では、両吸シロッコファン１０の羽根外径φ２００の対して、φ２０６の位置より内周の部分が凸形状となっている。
【００７５】
図１１に示すように、両吸シロッコファン１０の外周よりも外側の領域において、反モータ側ブレード端面１８ａと反モータ側吸音材１９ａの反モータ側吸音材端面２０ａが同一平面上であるとし、また、モータ側ブレード端面１８ｂとモータ側吸音材１９ｂのモータ側吸音材端面２０ｂが同一平面上であることを特徴としたものである。
【００７６】
ここで、反モータ側吸音材１９ａは、両吸シロッコファン１０の外周よりも外側に備え、反モータ側ケーシング側面７ａとケーシング９の外周の内壁に接している。
【００７７】
また、同様に、モータ側吸音材１９ｂは、両吸シロッコファン１０の外周よりも外側に備え、反モータ側ケーシング側面７ａとケーシング９の外周の内壁に接している。
【００７８】
また、反モータ側吸音材端面２０ａとは、反モータ側吸音材１９ａの一面に備え、両吸シロッコファン１０の回転軸に垂直な平面で、かつ、反モータ側ケーシング側面７ａと接していない面である。
【００７９】
また、モータ側吸音材端面２０ｂとは、モータ側吸音材１９ｂの一面に備え、両吸シロッコファン１０の回転軸に垂直な平面で、かつ、反モータ側ケーシング側面７ａと接していない面である。
【００８０】
なお、反モータ側ブレード端面１８ａ、モータ側ブレード端面１８ｂにリング状の板が乗っている場合、このリング状の板も含めて反モータ側ブレード端面１８ａ、モータ側ブレード端面１８ｂとなるわけではない。
【００８１】
以上のように本実施の形態によれば、反モータ側ケーシング吸込口８ａ、モータ側ケーシング吸込口８ｂまでに空気が流れる圧力損失の違いにより、両吸シロッコファン１０から吐出される空気が不均一となる。ここで、両吸シロッコファン１０の外周よりも外側の領域において、ケーシング幅１６の大きさが両吸シロッコファン幅１７の大きさよりも小さく構成することにより、ケーシング９の内部の流速を均一にでき、送風機性能を向上させ騒音を低減することができる。
【００８２】
また、モータ１１をケーシング９の内部に入れ込むことにより、モータ側ケーシング吸込口８ｂの吸込面積が反モータ側ケーシング吸込口８ａの吸込面積と比べ小さくなる。このため、吸込抵抗の相違から両吸シロッコファン１０から吐出される空気が不均一となる。ここで、ケーシング９の内部に図８のような構成にすることにより、ケーシング９の内部の流速を均一にでき、送風機性能を向上させ騒音を低減することができる。また、モータ１１をケーシング９の内部に入れ込んだ分、本体を小型にすることができる。
【００８３】
また、図８のような構成にすることで、ケーシング９の内部の体積を小さくすることができ、共鳴周波数を高周波側に変化させることができる。
【００８４】
また、本実施の形態によれば、反モータ側ケーシング吸込口８ａ、モータ側ケーシング吸込口８ｂまでに空気が流れる圧力損失の違いにより、両吸シロッコファン１０から吐出される空気が不均一となる。ここで、ケーシング９の内部に図９のような構成することにより、ケーシング９の内部の流速を均一にでき、送風機性能を向上させ騒音を低減することができる。
【００８５】
また、モータ１１をケーシング９の内部に入れ込むことにより、モータ側ケーシング吸込口８ｂの吸込面積が反モータ側吸込口８ａの吸込面積と比べ小さくなる。このため、吸込抵抗の相違から両吸シロッコファン１０から吐出される空気が不均一となる。ここで、ケーシング９の内部に図９のような構成にすることにより、ケーシング９の内部の流速を均一にでき、送風機性能を向上させ騒音を低減することができる。また、モータ１１をケーシング９の内部に入れ込んだ分、本体を小型にすることができる。
【００８６】
また、図９のような構成にすることで、ケーシング９の内部の体積を小さくすることができ、共鳴周波数を高周波側に変化させることができる。
【００８７】
また、本実施の形態によれば、ケーシング９の内部に図１０のような構成することにより、ケーシング９の内部の流速を均一にでき、送風機性能を向上させ騒音を低減することができる。
【００８８】
また、モータ１１をケーシング９の内部に入れ込むことにより、モータ側ケーシング吸込口８ｂの吸込面積が反モータ側ケーシング吸込口８ａの吸込面積と比べ小さくなる。このため、吸込抵抗の相違から両吸シロッコファン１０から吐出される空気が不均一となる。ここで、ケーシング９の内部に図１０のような構成にすることにより、ケーシング９の内部の流速を均一にでき、送風機性能を向上させ騒音を低減することができる。また、モータ１１をケーシング９の内部に入れ込んだ分、本体を小型にすることができる。
【００８９】
また、図１０のような構成にすることで、ケーシング９の内部の体積を小さくすることができ、共鳴周波数を高周波側に変化させることができる。
【００９０】
また、本実施の形態によれば、反モータ側ケーシング吸込口８ａ、モータ側ケーシング吸込口８ｂまでに空気が流れる圧力損失の違いにより、両吸シロッコファン１０から吐出される空気が不均一となる。ここで、ケーシング９の内部に図１１のような構成にすることにより、ケーシング９の内部の流速を均一にでき、送風機性能を向上させ騒音を低減することができる。
【００９１】
また、モータ１１をケーシング９の内部に入れ込むことにより、モータ側ケーシング吸込口８ｂの吸込面積が反モータ側ケーシング吸込口８ａの吸込面積と比べ小さくなる。このため、吸込抵抗の相違から両吸シロッコファン１０から吐出される空気が不均一となる。ここで、ケーシング９の内部に図１１のような構成にすることにより、ケーシング９の内部の流速を均一にでき、送風機性能を向上させ騒音を低減することができる。また、モータ１１をケーシング９の内部に入れ込んだ分、本体を小型にすることができる。
【００９２】
また、図１１のような構成にすることで、ケーシング９の内部の体積を小さくすることができ、共鳴周波数を高周波側に変化させることができる。
【００９３】
また、反モータ側吸音材１９ａとモータ側吸音材１９ｂの吸音効果により、騒音を低減することができる。
【００９４】
（実施の形態４）
実施の形態１、２または３と同一部分については同一符号を附し、詳細な説明は省略する。
【００９５】
図１２は両吸シロッコファンの主板の位置を示す断面図である。図１３は両吸シロッコファンの主板の穴を示す斜視図である。図１４は両吸シロッコファンの主板の穴を示す断面図である。
【００９６】
図１２に示すように、本発明のレンジフードは、両吸シロッコファン１０の主板１４の位置を両吸シロッコファン１０の軸方向に平行に移動させたことを特徴としたものである。
【００９７】
ここで、反モータ側ブレード端面１８ａと主板１４までの距離、モータ側ブレード端面１８ｂと主板１４までの距離を比べると、前者の方が小さい距離となっている。
【００９８】
なお、主板１４の位置を自由に設定することができる構成となっている。
【００９９】
図１３及び図１４に示すように、本発明のレンジフードは、両吸シロッコファン１０の主板１４に主板穴２１を備えたことを特徴としたものである。
【０１００】
ここで、主板穴２１の形状は、本実施の形態では、扇型形状であり両吸シロッコファン１０の羽根外径φ２００ｍｍ及び羽根内径φ１６６ｍｍに対し、外径がφ１４０ｍｍ及び内径φ６０ｍｍ及び６０度の角度を持った主板穴２１を４つ備えている。
【０１０１】
以上のように本実施の形態によれば、両吸シロッコファン１０の主板１４の位置を両吸シロッコファン１０の回転軸に対して平行に移動させることにより、モータ側ケーシング吸込口８ｂより圧力損失の少ない反モータ側ケーシング吸込口８ａから多くの空気が流入し、両吸シロッコファン１０のブレードに均一に空気が流入するようになる。このことにより、両吸シロッコファン１０が効率よく仕事をすることになり、送風機性能を向上させ騒音を低減することができる。
【０１０２】
また、本実施の形態によれば、両吸シロッコファン１０の主板１４に主板穴２１を備えることにより、モータ側ケーシング吸込口８ｂより圧力損失の少ない反モータ側ケーシング吸込口８ａから多くの空気が流入するが、反モータ側ケーシング吸込口８ａから流入した空気が主板穴２１に流入することにより、両吸シロッコファン１０のブレードに均一に空気が流入するようになる。このことにより、両吸シロッコファン１０が効率よく仕事をすることになり、送風機性能を向上させ騒音を低減することができる。
【０１０３】
（実施の形態５）
実施の形態１、２、３または４と同一部分については同一符号を附し、詳細な説明は省略する。
【０１０４】
図１５は両吸シロッコファンの回転軸を含む平面での断面図である。図１６は両吸シロッコファンの斜視図である。
【０１０５】
図１５及び図１６に示すように、本発明のレンジフードは、両吸シロッコファン１０の回転軸に垂直な平面から見ると、両吸シロッコファン１０のブレード内径よりも外側からブレード外径の内側までの範囲でモータ側ケーシング吸込口８ｂの外周を備えたことを特徴としたものである。
【０１０６】
ここで、モータ側ブレード端面１８ｂに乗るリング２２は、モータ側ブレード端面１８ｂの一部に乗る構成である。本実施の形態では、両吸シロッコファン１０の羽根外径φ２００ｍｍ及び羽根内径φ１６６ｍｍに対し、リングの外径φ２００ｍｍ及び内径φ１８０ｍｍである。
【０１０７】
以上の本実施の形態によれば、モータ１１により狭められたモータ側ケーシング吸込口８ｂを広くすることができ、吸込抵抗の低減となる。このことから、送風機性能を向上させ騒音を低減することができる。
【産業上の利用可能性】
【０１０８】
本発明にかかるレンジフードは、ケーシング内部を流れる空気の流速を一様にするように仕切り板を備えることで、小型で低騒音なレンジフードなどに適用することにおいて有用である。
【図面の簡単な説明】
【０１０９】
【図１】本発明の実施の形態１におけるレンジフードの構成を示す正面図
【図２】同レンジフードにおける側面図
【図３】本発明の実施の形態２におけるレンジフードの本体の側面図
【図４】同レンジフードにおけるケーシングと仕切り板の斜視図
【図５】同レンジフードにおける本体の側面図
【図６】同レンジフードにおけるケーシングに備えた吸音材の斜視図
【図７】本発明の実施の形態３におけるレンジフード本体の側面図
【図８】同レンジフードにおける両吸シロッコファンの回転軸を含む平面の断面図
【図９】同レンジフードにおける両吸シロッコファンの回転軸を含む平面の断面図
【図１０】同レンジフードにおける両吸シロッコファンの回転軸を含む平面の断面図
【図１１】同レンジフードにおける両吸シロッコファンの回転軸を含む平面の断面図
【図１２】本発明の実施の形態４におけるレンジフードの両吸シロッコファンの主板の位置を示す断面図
【図１３】同レンジフードにおける両吸シロッコファンの主板の穴を示す斜視図
【図１４】同レンジフードにおける両吸シロッコファンの主板の穴を示す断面図
【図１５】本発明の実施の形態５におけるレンジフードの両吸シロッコファンの回転軸を含む平面での断面図
【図１６】同レンジフードにおける両吸シロッコファンの斜視図
【図１７】従来のレンジフードを示す断面図
【符号の説明】
【０１１０】
１      フード
２      本体吸込口
３      排気ダクト
４      本体排気口
５      本体
６      フィルタ
７ａ    反モータ側ケーシング側面
７ｂ    モータ側ケーシング側面
８ａ    反モータ側ケーシング吸込口
８ｂ    モータ側ケーシング吸込口
９      ケーシング
１０    両吸シロッコファン
１１    モータ
１２    整流部
１３    仕切り板
１４    主板
１５    吸音材
１６    ケーシング幅
１７    両吸シロッコファン幅
１８ａ  反モータ側ブレード端面
１８ｂ  モータ側ブレード端面
１９ａ  反モータ側吸音材
１９ｂ  モータ側吸音材
２０ａ  反モータ側吸音材端面
２０ｂ  モータ側吸音材端面
２１    主板穴
２２    リング
【図１】
2007093136.tif 000003
【図２】
2007093136.tif 000004
【図３】
2007093136.tif 000005
【図４】
2007093136.tif 000006
【図５】
2007093136.tif 000007
【図６】
2007093136.tif 000008
【図７】
2007093136.tif 000009
【図８】
2007093136.tif 000010
【図９】
2007093136.tif 000011
【図１０】
2007093136.tif 000012
【図１１】
2007093136.tif 000013
【図１２】
2007093136.tif 000014
【図１３】
2007093136.tif 000015
【図１４】
2007093136.tif 000016
【図１５】
2007093136.tif 000017
【図１６】
2007093136.tif 000018
【図１７】
2007093136.tif 000019